(57)【要約】【課題】常には電力情報が表示され、調理や風呂に入る際などのお湯を使おうとする時間になると、表示器が給湯情報の表示に自動的に切り替えられているようにする。【解決手段】表示制御部により湯の使用を検出し湯使用の開始時刻および終了時刻を計測する。この表示制御部により検出した過去７日の湯使用実績に基づいて翌日の湯使用の開始時刻および終了時刻を予測し、表示器１６の表示を、常には電力情報を表示するホーム画面とし、前記予測した湯使用の開始時刻になったとき、ホーム画面から給湯操作画面に切り替え、且つ予測された終了時刻になったとき給湯操作画面からホーム画面に切り替える。【選択図】図１
2015190629.tif 000002
【特許請求の範囲】
【請求項１】
家庭用自家発電装置で発電中の電力情報および／または家庭で消費中の電力情報と、給湯装置の給湯情報とを、１台の表示器にて表示する電力および給湯兼用表示システムにおいて、
湯の使用を検出し湯使用の開始時刻および終了時刻を計測する湯使用監視手段と、
前記湯使用監視手段による複数日の湯使用実績に基づいて翌日の湯使用の開始時刻および終了時刻を予測する予測手段と、
前記表示器の表示を、常には前記電力情報を表示する常態表示とし、前記予測手段により予測された湯使用の開始時刻になったとき、前記常態表示から前記給湯情報の表示に切り替え、且つ前記予測された終了時刻になったとき前記給湯表示から前記常態表示に切り替える表示切替手段と
を備えた電力および給湯兼用表示システム。
【請求項２】
請求項１記載の電力および給湯兼用表示システムにおいて、
前記予測手段は、３日以上の湯使用実績に基づいて翌日の湯使用の開始時刻および終了時刻を予測することを特徴とする電力および給湯兼用表示システム。
【請求項３】
請求項２記載の電力および給湯兼用表示システムにおいて、
前記予測手段は、前日に、複数日の湯使用実績に基づいて翌日である本日の湯使用の開始時刻および終了時刻を予測したとき、本日の実際の湯の使用が、前記前日に予測した開始時刻の前または予測した終了時刻の後であったとき、次の日の湯使用の開始時刻および終了時刻を、従前パターンである前記前日以前の複数日の湯使用実績に基づいて予測する場合と、新パターンである本日の湯使用実績に基づいて予測する場合との２通りに定めることを特徴とする電力および給湯兼用表示システム。
【請求項４】
請求項３記載の電力および給湯兼用表示システムにおいて、
前記予測手段は、前記次の日の湯使用が、前記新パターンにより予測した湯使用時間に重なりまたは連続する時間であったとき、前記次の日の翌日の湯使用の開始時刻および終了時刻を、前記本日と前記次の日の２日間の使用実績に基づいて予測することを特徴とする電力および給湯兼用表示システム。
【請求項５】
請求項３記載の電力および給湯兼用表示システムにおいて、
前記予測手段は、前記次の日の実際の湯使用時間が、前記新パターンにより予測した湯使用時間に重ならず且つ連続もしなかったとき、前記次の日の翌日の湯使用の開始時刻および終了時刻を、前記前日以前の前記従前パターンにより予測することを特徴とする電力および給湯兼用表示システム。
【発明の詳細な説明】
【技術分野】
【０００１】
本発明は家庭の電力情報と給湯情報とを１つの表示器で表示する電力および給湯兼用表示システムに関する。
【背景技術】
【０００２】
最近、省エネに対する関心は強く、給湯装置に加え、太陽光発電装置などの自家発電装置を設置する家庭が多くなってきている。
自家発電装置では、モニター画面に電力情報として現在の発電量と現在の家庭での使用電力との双方を表示して電力の無駄使いを自己啓発できるようにしている。一方、給湯装置においてもモニター画面に給湯温度や風呂への給湯温度などの給湯情報を表示して適切な温度の湯を台所や洗面所或いは浴槽などに供給できるようにしている。
【０００３】
しかしながら、自家発電装置と給湯装置の双方が夫々自身のモニター画面を持つことは無駄であり、例えば特許文献１に見られるように、１台の表示器に電力情報と給湯情報を表示することが提案されている。
【先行技術文献】
【特許文献】
【０００４】
【特許文献１】特開２０１３−２１９８４８号公報
【発明の概要】
【発明が解決しようとする課題】
【０００５】
電力情報と給湯情報とを１台の表示器で表示する場合、どちらの情報を表示するかはユーザーの選択操作による。しかしながら、これでは選択操作が煩わしいし、例えば調理中にお湯の温度を変更しようとしてモニター画面を見たとき、電力情報が教示されていると、画面表示の切り替え操作を行って給湯情報が表示されるようにしてから給湯温度の変更操作を行わなければならず、面倒である。
【０００６】
本発明は上記の事情に鑑みてなされたもので、その目的は、常には電力情報が表示され、調理や風呂に入る際などのお湯を使おうとする時間になると、表示器が給湯情報の表示に自動的に切り替えられているようにして、使用上の利便性の向上を図ることができる家庭用表示システムを提供しようとするものである。
【課題を解決するための手段】
【０００７】
請求項１の発明では、複数日の湯の使用実績から翌日の湯使用の開始時刻と終了時刻を予測し、表示器の表示を、常には電力情報を表示する常態表示とし、予測された時刻になったとき、常態表示から給湯情報の表示に切り替え、且つ給湯情報の表示から電力情報の表示に自動的に切り替える。このため、常には常態表示により節電意識を高めることができ、しかも、湯を使用するときになると、給湯情報の表示に切り替わっているため、手動で切り替える煩わしさがない。
【０００８】
請求項２の発明では、翌日の湯使用の開始時刻および終了時刻を、３日以上の複数日のの湯使用実績から予測するので、家庭毎の生活習慣によって異なる湯の使用時間に合った時間に給湯情報の表示に切り替えることができる。
【０００９】
請求項３の発明では、前日に、複数日の湯の使用実績に基づいて翌日である本日の湯使用の開始時刻および終了時刻を予測したとき、当該本日において、実際の湯の使用が、前日に予測した開始時刻の前または予測した終了時刻の後であったとき、次の日の湯使用の開始時刻および終了時刻を、従前パターンである前記前日以前の複数日の湯使用実績に基づいて予測する場合と、新パターンである本日の湯使用実績に基づいて予測する場合との２通りに定めるので、今までの習慣に応じた時間だけでなく、新しく習慣になるかもしれない時間にも給湯情報の表示画面に切り替えることができる。
【００１０】
請求項４の発明では、請求項３において、前記次の日の湯使用が、前記新パターンにより予測した湯使用時間に重なりまたは連続する時間であったとき、前記次の日の翌日の湯使用の開始時刻および終了時刻を、前記本日と前記次の日の２日間の使用実績に基づいて予測するので、季節の変化によって湯の使用習慣が変化した場合に早期に対応できる。
【００１１】
請求項５の発明では、請求項３において、前記次の日の実際の湯使用時間が、前記新パターンにより予測した時間に重ならず且つ連続もしなかったとき、前記次の日の翌日の湯使用の開始時刻および終了時刻を、前記前日以前の前記従前パターンにより予測するので、１日だけのイレギュラーな時間での湯の使用を、生活習慣に適した湯使用時間の予測用として取り入れる恐れがない。
【図面の簡単な説明】
【００１２】
【図１】本発明の一実施形態における表示画面を示すもので、（ａ）はホーム画面、（ｂ）は給湯操作画面、（ｃ）はホーム画面と給湯操作画面の切り替え形態を時間の経過と共に示す表示切替形態図
【図２】太陽光発電装置と電気給湯装置を装備した家屋の概略図
【図３】表示器と電気給湯装置の電気的構成を示すブロック図
【図４】（ａ）は湯の実使用時間と給湯操作画面の表示時間を示すグラフその１、（ｂ）は湯の実使用時間と時間記憶テーブルへの記憶時間を示す図その１
【図５】（ａ）は湯の実使用時間と給湯操作画面の表示時間を示すグラフその２、（ｂ）は湯の実使用時間と時間記憶テーブルへの記憶時間を示す図その２
【図６】（ａ）は湯の実使用時間と給湯操作画面の表示時間を示すグラフその３、（ｂ）は湯の実使用時間と時間記憶テーブルへの記憶時間を示す図その３
【図７】フローチャートその１
【図８】フローチャートその２
【図９】フローチャートその３
【図１０】フローチャートその４
【図１１】フローチャートその５
【図１２】フローチャートその６
【図１３】フローチャートその７
【図１４】フローチャートその８
【図１５】時間記憶テーブルのうちの朝時間帯の記憶形態を示すもので、（ａ）は７日分の時間データを記憶した形態の模式図、（ｂ）は７日前の記憶データを消去し本日分を設定した形態の模式図、（ｃ）は２日前以前のデータを消去し本日のデータを記憶した形態の模式図
【図１６】（ａ）は朝時間帯の一時記憶テーブルの記憶形態を示す概念図、（ｂ）は時間記憶テーブルの記憶形態を示す概念図
【発明を実施するための形態】
【００１３】
以下、本発明の一実施形態を図面を参照しながら説明する。図２には家屋の一例が示されている。この家屋には、給湯装置として例えば電気給湯装置１が設置されていると共に、家庭用自家発電装置として例えば太陽光発電装置２が設置されている。
【００１４】
電気給湯装置１は、例えば加熱手段としてのヒートポンプ３および貯湯手段としてのタンク４を備えており、ヒートポンプ３で加熱したお湯をタンク４に蓄えるようになっている。タンク４に蓄えられたお湯は、台所や洗面所或いは浴室などに供給される。このタンク４には、図３に示すように、タンク４に蓄えられている湯の量を検出する湯量センサ５、タンク４内のお湯の温度を検出する湯温センサ６、台所や洗面所或いは浴室などで湯が使用されたときにタンク４からの湯の流出を検出する流量センサ７が設けられている。
【００１５】
太陽光発電装置２は、屋根に据え付けた太陽電池パネル８、蓄電池（図示せず）、パワーコンディショナ（図示せず）などを備えている。太陽電池パネル８によって発電した直流電力は、パワーコンディショナによって交流電力に変換され、分電盤９から家屋の各電気機器に供給される。また、余剰電力は蓄電池に蓄えられたり、売電されたりする。
【００１６】
電気給湯装置１は図３に示す制御装置１０を備えている。この制御装置１０は、マイコンからなる給湯制御部（制御手段）１１および通信部１２を有しており、前記湯量センサ５、湯温センサ６および流量センサ７の検出データは給湯制御部１１に入力されるようになっている。給湯制御部１１は、各センサ５〜７から与えられたデータに基づき、常温水と混合して設定された温度の湯を各所に供給する。なお、給湯制御部１１はヒートポンプ３の運転も制御するが、当該ヒートポンプ３の制御に関しては本発明と関係ないので説明を省略する。
【００１７】
家屋内には、本発明に係る表示器１３が取り付けられている。この表示器１３は、電気給湯装置１の表示器と太陽光発電装置２の表示器とを兼用すると共に、電気給湯装置１の操作器としても使用される。この表示器１３は、図３に示すように、例えば液晶ディスプレイなどの表示画面１４と位置入力装置１５とを組み合わせてなるタッチパネル（操作入力手段）１６、計時機能を有し暦日や時刻などをカウントする時計部（計時手段）１７、データを記憶する記憶部（記憶手段）１８、外部機器との間でデータを送受する通信部１９、マイコンからなる表示制御部（制御手段）２０を備えている。
【００１８】
表示器１３の通信部１９には、電気給湯装置１の制御装置１０の通信部１２から台所や洗面所或いは浴室などで湯の使用が開始したことを報知する湯使用開始信号および当該湯の使用が終了したことを報知する湯使用終了信号が送信される。また、表示器１３の通信部１９には、分電盤９から所定の短時間毎に現在の太陽光発電装置２の発電電力および家屋での現在の消費電力を示すデータ（電力情報）が送信される。上記湯使用開始信号は流量センサ７がタンク４からの湯の流出を検出したとき送信され、湯使用終了信号は流量センサ７がタンク４からの湯の流出停止を検出したとき送信される。
【００１９】
表示制御部２０は、湯使用開始信号および湯使用終了信号が送信されてきたとき、時計部１７の計測時刻を実開始時刻および実終了時刻として記憶部１８に記憶させる（湯使用監視手段）。また、表示制御部２０は、太陽光発電装置２の発電量および使用電力を同じく記憶部１８に記憶させる。
【００２０】
表示器１３は、常には電力情報、即ち太陽光発電装置２の発電電力と家屋（家庭）での使用電力を示す電力表示画面（ホーム画面）を表示する（常態表示）。ホーム画面を図１（ａ）に示すが、このホーム画面において、「給湯」表示部分をタッチ操作（所定の操作）すると、給湯装置１に関する給湯情報を表示すると共に給湯に関する種々の操作を行うための画面（給湯操作画面）に切り替わる。切り替わった給湯操作画面を図１（ｂ）に示すが、この画面では、タンク４内の湯量、現在の台所などの蛇口への給湯温度、浴槽への給湯温度などが表示される。
【００２１】
この給湯操作画面において、温度上げ下げ表示部分をタッチ操作すると、蛇口への給湯温度を変更することができ、「ふろ湯はり」表示部分をタッチ操作すると、浴槽へ自動的に所定量の湯が供給され、また「メニュー」表示部分をタッチ操作すると、浴槽への給湯温度を変更したり、浴槽への給湯量を変更したり、他の様々な操作を行うための画面に変更される。そして、この給湯操作画面において、「ホーム」表示部分をタッチ操作（所定の操作）すると、ホーム画面に変更される。
【００２２】
上述のように、表示器１３の表示画面をホーム画面と給湯操作画面との間で切り替えるには、それぞれ所定の操作を行う。加えて、本実施形態では、記憶部１８に記憶された湯の使用時間（使用開始時刻と使用終了時刻）データに基づいて翌日の湯の使用開始時刻と使用終了時刻とが予測され、その予測された時刻になると、自動的にホーム画面から給湯操作画面に切り替わり、或いは給湯操作画面からホーム画面に自動的に切り替わるようになっている。図１（ｃ）は、この表示画面がホーム画面と給湯操作画面との間で自動的に切り替えられる時間帯の一例を示している。
【００２３】
本実施形態では、湯の使用開始時刻と使用終了時刻とを予測するための湯の使用時間データとしては、複数日、例えば７日分の湯の使用時間データを用いる。この７日分の湯使用時間データに基づいて、翌日の湯の使用開始時刻（ホーム画面から給湯操作画面への切り替え時刻）と湯の使用終了時刻（給湯操作画面からホーム画面への切り替え時刻）とが予測されるようになっている。
【００２４】
このように湯の使用時間になると、タッチパネル１６の表示画面が自動的に給湯操作画面に切り替えられることにより、湯の使用時にいちいち画面の切り替え操作をしなくとも済み、また、湯の使用が終了すると、自動的にホーム画面に戻るので、現在の消費電力を認識する機会が増え、家庭での省電力意識が向上するという効果がある。
【００２５】
以下に、この表示器１３の表示画面の自動的な切り替わりについて図７〜図１４のフローチャートをも参照しながら説明する。
【００２６】
［７日分の湯使用時間データの蓄積］
まず、電気給湯装置１および太陽光発電装置２を新たに設置し、これから表示器１３を使い始めるものとする。
表示器１３を使用するに際し、ユーザーがその電源スイッチをオン操作すると、タッチパネル１６には、常態表示であるホーム画面が表示される（図７のステップＡ１で「ＮＯ」、図８のステップＢ１）。表示されたホーム画面の「給湯」表示部分がタッチ操作されず、或いは、湯の使用がない場合、そのままホーム画面が表示され続ける（ステップＢ１からステップＢ２へ移行、ステップＢ２の処理内容を示す図９のステップＣ１で「ＮＯ」、ステップＣ２で「ＮＯ」、ステップＣ３で「ＮＯ」、ステップＣ４で「ＮＯ」となって図８のステップＢ３へ移行し、ステップＢ３で「ＮＯ」となってステップＢ２に戻る動作の繰り返し）。
【００２７】
ホーム画面の表示中において、ユーザーが「給湯」表示部分をタッチ操作し（ステップＣ３で「ＹＥＳ」）、或いは、実際にユーザーが台所や洗面所或いは浴室などで湯を使用すると（ステップＣ４で「ＹＥＳ」）、タッチパネル１６の表示画面がホーム画面から給湯操作画面に切り替えられる（ステップＣ５）。
湯が実際に使用されると、その使用開始時刻が記憶手段としての記憶部１８に記憶される（ステップＣ５からステップＣ６へ移行、ステップＣ６の処理内容を示す図１０のステップＤ１で「ＮＯ」、ステップＤ２で「ＹＥＳ」、ステップＤ６、ステップＤ７で「ＮＯ」）。なお、ステップＤ６の給湯開始時刻記憶処理の内容については後で詳述する。
【００２８】
当該湯の使用が終了すると、その使用終了時刻が記憶部１８に記憶される（図１０のステップＤ１で「ＮＯ」、ステップＤ２で「ＮＯ」、ステップＤ３で「ＹＥＳ」、ステップＤ９で「ＹＥＳ」、ステップＤ１０、ステップＤ１１で「ＮＯ」）。なお、ステップＤ１０の給湯終了時刻記憶処理の内容についても後で詳述する。そして、湯の使用が終了した後、３０分以内に再び湯が使用されなければ、タッチパネル１６の画面は給湯操作画面からホーム画面へと切り替えられる（ステップＤ１３で「ＹＥＳ」、ステップＤ１４）。
【００２９】
ここで、記憶部１８には、時間記憶テーブルと朝・昼・夕の３つの時間帯の一時記憶テーブルとが設けられている。時間記憶テーブルには、朝・昼・夕の３つの時間帯ごとに、７日分の給湯開始時刻と給湯終了時刻とが記憶されるようになっている。また、一時記憶テーブルには、朝・昼・夕の３つの時間帯ごとに、一日の湯の使用開始時刻と使用終了時刻とが一時的に記憶されるようになっている。図１６（ａ）には、朝時間帯の一時記憶テーブルを模式的に示し、同図（ｂ）には、時間記憶テーブルの全体を模式的に示している。なお、図１６では、時刻を時間と表記している。後で述べる図４〜図６および図１６も同様である。
【００３０】
朝・昼・夕の時間帯は、基準時刻を、例えば朝は午前６時（６：００）、昼は午後０時（１２：００）、夕は午後６時（１８：００）に定め、実際に湯が使用された時刻が朝、昼、夕のいずれの基準時刻に最も近いかによって当該湯の使用が朝・昼・夕のいずれの時間帯に属するかを決定するようにしている。
【００３１】
また、一時記憶テーブルおよび時間記憶テーブルに記憶される時刻は、分の部分（秒の部分は切り捨て）を３０分の時間幅に変換し、その時間幅を表わす代表値で記憶するようにしている。つまり、使用開始時刻については、分の部分が００分から２９分までの間に存在するときは、最も早い時刻を示す代表値で「００」分として記憶され、３０分から５９分までの間に存在するときは、最も早い時刻を示す代表値で「３０」分として記憶される。使用終了時刻については、分の部分（秒の部分は切り捨て）が００分から２９分までの間に存在するときは、最も遅い時刻を示す代表値で「２９」分として記憶され、３０分から５９分までの間に存在するときは、最も遅い時刻を示す代表値で「５９」分として記憶される。
【００３２】
従って、記憶（登録）された開始時刻が例えば７：００であったときには、実際の使用開始時刻は午前７時００分から午前７時２９分までのいずれかにあり、記憶（登録）された終了時刻が９：２９であったときには、実際の使用終了時刻は午前９時００分から午前９時２９分までのいずれかにあることとなる。
【００３３】
さて、時間記憶テーブルに、表示器１３を使い始めてから最初の７日分の湯使用時間データが記憶されると、その記憶された時間データに基づいて、翌日の朝・昼・夕の時間帯毎に湯の使用時間、つまり湯が使用され始める時刻と湯の使用が終了する時刻とを予測する。そして、タッチパネル１６をホーム画面から給湯操作画面に切り替えるべき時刻を、湯使用が開始されるとして予測した時刻に設定する（図１０のステップＤ７で「ＹＥＳ」、ステップＤ８）と共に、給湯操作画面からホーム画面に切り替えるべき時刻を、湯の使用が終了するとして予測した時刻に設定する（ステップＤ１１で「ＹＥＳ」、ステップＤ１２）。
【００３４】
湯の使用時間の予測は、朝・昼・夕の時間帯毎に、７日分の湯使用時間のうち、時間が互いに重なるものどうしをグループ分けし、使用開始時刻についてはグループ毎で当該グループ内の湯使用時間データのうち最も早い時刻に定め、使用終了時刻についてはグループ毎で当該グループ内の湯使用時間データのうち最も遅い時刻に定めるものである。なお、湯の使用開始時刻が予測されると、一時記憶テーブルに記憶された開始時刻と終了時刻は消去される（図１２のステップＦ５、ステップＦ７）。
【００３５】
翌日（表示器１６を使用し始めてから８日目）の湯使用時間が予測され、翌日、予測された開始時刻になると、タッチパネル１６の表示画面がホーム画面から給湯操作画面に切り替えられる（図９のステップＣ２で「ＹＥＳ」、ステップＣ５）。この給湯操作画面への切り替え後、実際に湯の使用があると、この湯の使用開始時刻が上述のように分の部分を３０分単位の時間幅に変換され、その代表値にて本日の湯使用開始時刻が記憶されると共に、翌日の湯の使用開始時刻（給湯操作画面への切替時刻）が予測される（ステップＤ１７）。これらの開始時刻の記憶と翌日の開始時刻の予測は後で詳しい説明がされる。
【００３６】
また、湯の使用を終えると、この湯の終了時刻が上述のように分の部分を３０分単位の時間幅に変換され、その代表値にて本日の湯使用終了時刻が記憶されると共に、翌日の湯の使用終了時刻が予測される（ステップＤ１９）。その後、前日に予測された終了時刻になると、タッチパネル１６の表示画面が給湯操作画面からホーム画面に切り替えられる（図１０のステップＤ２０で「ＹＥＳ」、ステップＤ２１）。これらの終了時間の記憶と翌日の終了時刻の予測も後で詳しい説明がされる。
【００３７】
［図４の例］
さて、図４は、表示器１３を使用し始めてから相当期間経過したある時期の１４日間の例えば朝時間帯の湯使用時間を示す。図４（ａ）のハッチング部分が実使用時間であり、両矢印の線分で示す部分が給湯操作画面の表示時間（予測した湯使用の開始時刻から終了時刻までの時間）である。図４（ｂ）において、実開始時間および実終了時間とあるのは、実際の湯使用の開始時刻および終了時刻であり、登録開始時刻および登録終了時刻とあるのは、実際の開始時刻および終了時刻の分の部分を３０分の時間幅に変換してその代表値で表わして時間記憶テーブルに記憶された開始時刻および終了時刻である。
【００３８】
この図４に基づいて、７日目から９日目までの給湯画面表示に関する表示制御部２０の制御内容をフローチャートにより詳述する。但し、朝時間帯についての説明であり、昼および夕の時間帯については、同様であるので説明を省略する。
７日目の湯使用の開始時刻と終了時刻の予測は、前日の６日目に、１日目の前の日から当該６日目までの湯使用実績に基づいて行われ、開始時刻が６：００、終了時刻が７:５９と設定されたとする。
【００３９】
７日目において、前日の６日目に予測された湯使用開始時刻である午前６時００分になると、表示制御部２０は、タッチパネル１６の表示画面をホーム画面から給湯操作画面に切り替える（図９のステップＣ１で「ＮＯ」、ステップＣ２で「ＹＥＳ」、ステップＣ５：表示切替手段）。その後、湯が実際に使用されると（図４の例では６：１０に使用開始）、表示制御部２０は、電気給湯装置１の制御装置１０からの湯供給信号により給湯が開始されたことを検出し（ステップＣ５からステップＣ６へ、ステップＣ６の給湯時間記憶処理の内容を示す図１０のステップＤ１で「ＹＥＳ」、ステップＤ１５で「ＹＥＳ」）、給湯時間記憶テーブルの該当する時間帯である朝時間帯に本日の給湯開始時刻が記憶済みか否かを判断する（ステップＤ１６）。
【００４０】
時間記憶テーブルにおいて朝時間帯の本日の給湯開始時刻は未だ記憶されていないので、表示制御部２０は、ステップＤ１６で「ＮＯ」と判断し、ステップＤ１７の画面表示切替開始時刻設定処理（図１２）に移行する。この処理において、表示制御部２０は、まず、実際の給湯開始時刻を、分の部分を３０分単位の時間幅に変換し（図１２のステップＦ１）、該当する時間帯である朝時間帯の一時記憶テーブルに開始時刻が記憶されているか否かを判断する（ステップＦ２）。
【００４１】
朝時間帯の一時記憶テーブルには開始時刻が記憶されていないので、表示制御部２０は、ステップＦ２で「ＮＯ」と判断し、次に時間記憶テーブルに７日分の時間データが記憶されているか否かを判断する（ステップＦ８）。７日分の時間データは既に記憶されているので、表示制御部２０は、ステップＦ８で「ＹＥＳ」と判断し、時間記憶テーブルの該当する時間帯、即ち朝時間帯の７日前（図４の１日目の前日）の開始時刻と終了時刻を消去する（ステップＦ９）。
【００４２】
次に、表示制御部２０は、図１５（ａ）および（ｂ）に示すように（具体的に示す時刻は異なる）、消去した７日前の部分に６日前のデータを移し、空いた６日日前の部分に５日前のデータを移し、…、２日前の部分に１日前のデータを移し、というように日を順次繰り上げ、そして空いた１日前の部分を本日として当該本日部分に本日（図４で７日目）の開始時刻を記憶させる。このとき、開始時刻の分の部分は、３０分の幅時間をもたせ、その３０分の時間幅の代表値（６：００）で記憶させる（ステップＦ１０）。次いで、表示制御部２０は、時間記憶テーブルの該当する時間帯、つまり朝時間帯の７日分の開始時刻データのうち、最も早い時刻を翌日の朝の給湯操作画面への切替開始時刻に設定する（ステップＦ１１：予測手段）。ここでは、図４（ｂ）の１日目から本日である７日目までの登録開始時間のうち、最も早い６：００に設定する。以上で画面表示切替開始時刻設定処理を終了する。
【００４３】
この後、湯の使用が終了すると（図４の例では午前６時４０分に終了）、表示制御部２０は、電気給湯装置１の制御装置１０からの湯供給信号の停止により給湯が終了したことを検出し（ステップＤ１８で「ＹＥＳ」）、ステップＤ１９の画面表示切替終了時刻設定処理に移行する。
【００４４】
画面表示切替終了時刻の設定処理の内容は図１４に示されている。同処理に移行すると、表示制御部２０は、まず、実際の給湯開始時刻を、分の部分を３０分単位の時間幅に変換し（ステップＨ１）、時間記憶テーブルの該当する時間帯（この場合、朝時間帯）に終了時刻が記憶されているか否かを判断する（ステップＨ２）。時間記憶テーブルには未だ終了時刻が記憶されていないので、表示制御部２０は、ステップＨ２で「ＮＯ」と判断し、次のステップＨ４で時間記憶テーブルの本日の朝時間帯の終了時刻に終了時刻を記憶させる。このとき、終了時刻の分の部分は、３０分の時間幅をもたせ、その３０分の時間幅の代表値（６：５９）に変換して記憶させる（ステップＨ４）。従って、終了時刻は６:５９として記憶される。続いて、表示制御部２０は、時間記憶テーブルの朝時間帯に記憶されている終了時刻データのうち、最も遅い時刻（図４においては２日目の７：５９）を翌日（図４で８日目）の表示切替終了時刻に設定する（ステップＨ５）。これにより、翌日は開始時刻６：００、終了時刻７：５９に設定されたこととなる。
【００４５】
以上により、画面表示切替終了時刻の設定処理が終了するので、表示制御部２０は、図１０の表示切替終了時刻が過ぎたか否かを判断するステップＤ２０に戻り、ここで「ＹＥＳ」と判断し、ホーム画面に切り替える（ステップＤ２１）。
翌日（図４において８日目）の午前６時になると、表示制御部２０は、前日に予測設定された画面表示切替開始時刻になったと判断し（図９のステップＣ２で「ＹＥＳ」）、タッチパネル１６の表示画面をホーム画面から給湯操作画面へと切り替え（ステップＣ５）、給湯時間記憶処理（ステップＣ６）へと移行する。
【００４６】
図１０の給湯時間記憶処理に移行すると、表示制御部２０は、画面表示切替終了時刻になるまで、給湯操作画面を表示し続ける（ステップＤ１で「ＹＥＳ」、ステップＤ１５で「ＮＯ」、ステップＤ１８で「ＮＯ」、ステップＤ２０で「ＮＯ」の繰り返し）。図４の例では本日（８日目）は前日設定された画面表示切替終了時刻（７：５９）になっても湯は使用されないので、当該画面表示切替終了時刻になると、表示制御部２０は、表示画面をホーム画面に切り替える（ステップＤ２０で「ＹＥＳ」、ステップＤ２１）。
【００４７】
図４に示すように、８日目（本日）では、画面表示切替終了時刻を経過した午前８時２０分に湯が使用される。すると、表示制御部２０は、図９の給湯操作画面への切替処理において、ステップＣ１で「ＮＯ」、ステップＣ２で「ＮＯ」、ステップＣ３で「ＮＯ」、ステップＣ４で「ＹＥＳ」となり、給湯操作画面へ切り替える（ステップＣ５）。
【００４８】
次に、表示制御部２０は、ステップＣ６の給湯時間記憶処理へと移行する。そして、図１０の給湯時間記憶処理に入ると、表示制御部２０は、ステップＤ１で「ＮＯ」、ステップＤ２で「ＹＥＳ」となり、該当する時間帯である朝時間帯の一時記憶テーブルへの給湯開始時刻記憶処理へと移行する（ステップＤ６）。
【００４９】
一時記憶テーブルへの給湯開始時刻記憶処理の内容は図１１に示されており、表示制御部２０は、当該処理に入ると、まず給湯開始時刻を、分の部分を３０分単位の時間幅に変換し（ステップＥ１）、次にその給湯開始時刻が朝・昼・夕のどの時間帯に属するかを決定する（ステップＥ２）。
【００５０】
ここでは朝時間帯に属するので、表示制御部２０は、ステップＥ２において朝時間帯と決定し、次のステップＥ３で該当する時間帯である朝時間帯の一時記憶テーブルに開始時刻が記憶されているか否かを判断する。朝時間帯には未だ開始時刻が記憶されていないので、表示制御部２０は、ステップＥ３で「ＮＯ」と判断し、次のステップＥ４で朝時間帯の一時記憶テーブルに、開始時刻を記憶させる。ここでは８:００と記憶させる。続くステップＥ５で、表示制御部２０は、時間記憶テーブルにおける朝時間帯の本日部分に、開始時刻（８：００）を追加記憶させ、一時記憶テーブルへの給湯開始時刻記憶処理を終了する。
【００５１】
次に、表示制御部２０は、図１０のステップＤ７に移行し、時間記憶テーブルに７日分の開始時刻が記憶されているか否かを判断する。７日分の開始時刻は記憶されているので、表示制御部２０は、ステップＤ７で「ＹＥＳ」と判断してステップＤ８の画面表示切替開始時刻設定処理へと移行する。
【００５２】
このステップＤ８の画面表示切替開始時刻設定処理は図１２に示す画面表示切替開始時刻設定処理とは異なる。ステップＤ８では、図１２におけるステップＦ１とステップＦ１１に相当する内容の処理だけを行う。ステップＤ８の画面表示切替開始時刻設定処理に入ると、表示制御部２０は、まず、給湯開始時刻を、分の部分を３０分単位の時間幅に変換し（ステップＦ１に相当）、次いで、時間記憶テーブルのうち該当する時間帯である朝時間帯内の開始時刻のうち、最も早い時刻を翌日の表示切替開始時刻に設定する（ステップＦ１１に相当）。この場合、表示制御部２０は、７日分の湯使用時間のうち、重なるものどうし、つまり開始時刻から終了時刻までが互いに重なるものを一つのグループとし、グループが２以上ある場合、各グループで最も早い時刻を表示切替開始時刻に設定する。図４の例では、２日目から８日目までが設定対象となり、そのうち２日目から７日目までが一つのグループ（従前パターン）であり、８日目がもう一つのグループ（新パターン）となる。そして、最初のグループの最も早い時刻が６：００であり、もう一つのグループの最も早い時刻が８：００となる。以上により画面表示切替開始時刻設定処理が終了する。
【００５３】
その後、湯の使用が終わると（図４で８日目は午前８時５５分に終了）、表示制御部２０は、図１０の給湯時間記憶処理のステップＤ３で「ＹＥＳ」、ステップＤ９で「ＹＥＳ」と判断し、一時記憶テーブルへの給湯終了時刻記憶処理へと移行する（ステップＤ１０）。
【００５４】
図１３に示す一時記憶テーブルへの給湯終了時刻記憶処理に移行すると、表示制御部２０は、まず給湯終了時刻の分の部分を３０分単位の時間幅に変換し（ステップＧ１）、次にその給湯終了時刻が昨日以上前（図４の例では７日目以上前）の給湯終了時刻に重なるか、または連続するか否かを判断する（ステップＧ２）。なお、ここで終了時刻は３０分単位の時間幅を持たせたものを用い、例えば本日の給湯時刻が８：５９（８：３０〜８：５９）のとき、重なる終了時刻は８：５９（８：３０〜８：５９）であり、連続する終了時刻は８：２９（８：００〜８：２９）または９：２９（９：００〜９：２９）であり、それ以外は重なりもせず、連続もしない。
【００５５】
図４の例では、終了時刻が８：５９であるので、表示制御部２０は、ステップＧ２で「ＮＯ」と判断し、該当する時間帯である朝時間帯の一時記憶テーブルに終了時刻（８：５９）を記憶させる（ステップＧ３）。次いで、表示制御部２０は、時間記憶テーブルにおける朝時間帯の本日欄に給湯終了時刻を記憶させる（ステップＧ５）。
【００５６】
以上により一時記憶テーブルへの給湯終了時刻記憶処理を終了し、表示制御部２０は、図１０のステップＤ１１に移行し、時間記憶テーブルに７日分の時間データが記憶されているか否かを判断する。ここでは１日目から７日目までのデータが記憶されているので、表示制御部２０は、ステップＤ１１で「ＹＥＳ」と判断し、ステップＤ１２の画面表示切替終了時刻設定処理に移行する。
【００５７】
このステップＤ１２の画面表示切替終了時刻設定処理は図１４の画面表示切替終了時刻設定処理とは異なる。ステップＤ１２では、図１４の画面表示切替終了時刻設定処理におけるステップＨ１とステップＨ５に相当する内容の処理だけを行う。ステップＤ１２の画面表示切替終了時刻設定処理に入ると、表示制御部２０は、まず給湯終了時刻の分の部分を３０分単位の時間幅に変換し（ステップＨ１に相当）、次いで、時間記憶テーブルのうち該当する時間帯である朝時間帯内の開始時刻のうち、最も早い時刻を翌日の表示切替開始時刻に設定する（ステップＨ５に相当）。
【００５８】
この場合、７日分の開始時刻から終了時刻までのうち、重なるまたは連続するものを一つのグループとし、各グループで最も遅い時刻を表示切替終了時刻に設定する。図４の例では、２日目から８日目までが設定対象となり、そのうち２日目から７日目までが一つのグループであり、８日目がもう一つのグループとなる。そして、最初のグループの最も遅い時刻が７：５９であり、もう一つのグループの最も遅い時刻が８：５９となる。
【００５９】
従って、表示開始時刻と終了時刻とを併せて考えると、翌日（図４の例で９日目）では、６：００にホーム画面から給湯操作画面に切り替えられて７：５９に給湯操作画面からホーム画面に切り替えられ、更に、８：００に再びホーム画面から給湯操作画面に切り替えられて７：５９に給湯操作画面が終了し、ホーム画面に戻されることとなる。
【００６０】
翌日（図４の例で９日目）になると、午前６時００分から午前７時５９分まで第１回目の給湯操作画面の表示時間内では湯の使用がなく、午前８時から午前８時５９分までの第２回目の給湯操作画面の表示時間内に湯の使用がある。この湯の使用は午前８時１５分に開始され、午前８時４５分に終了している。
【００６１】
さて、午前８時１５分に湯の使用が開始されると、表示制御部２０は、図１０の予測による給湯操作画面の表示か否かを判断するステップＤ１で「ＹＥＳ」、給湯が開始されたか否かを判断するステップＤ１５で「ＹＥＳ」、時間記憶テーブルの朝時間帯に本日の給湯開始時間が記憶済みであるか否かを判断するステップＤ１６で「ＮＯ」となりステップＤ１７の画面表示切替開始時刻設定処理に移行する。
【００６２】
図１２の画面表示切替開始時刻設定処理で、表示制御部２０は、給湯開始時刻を、分の部分を３０分の時間幅を持つように変換し（ステップＦ１）、次に該当する時間帯である朝時間帯の一時記憶テーブルに開始時刻が記憶されているか否かを判断する（ステップＦ２）。ここでは、昨日（８日目）の開始時刻（８：００）が記憶されているので、表示制御部２０は、ステップＦ２で「ＹＥＳ」と判断し、次のステップＦ３へ移行する。
【００６３】
表示制御部２０は、ステップＦ３で本日の開始時刻が朝時間帯の一時記憶テーブルに記憶されている開始時刻と重なり或いは連続するか否かを判断する。ここでは重なるので、表示制御部２０は、ステップＦ３で「ＹＥＳ」となり、次のステップＦ６に移行する。
【００６４】
ステップＦ６では、表示制御部２０は、一時記憶テーブルの開始時刻が新しい開始時刻と判断し、時間記憶テーブルの該当する時間帯である朝時間帯に記憶されている開始時刻のうち、一時記憶テーブルの開始時刻および終了時刻と一致しない開始時間と終了時間を全て消去する。ここでは、図１５（ａ）に示すように、時間記憶テーブルの朝時間帯には７日前（図４の６日目）から１日前（図４の８日目）までの時間データが記憶されているので、一時記憶テーブルの開始時刻および終了時刻と一致しない７日前から２日前までの開始時刻と終了時刻の全てを消去するものである。
【００６５】
続いて、表示制御部２０は、朝時間帯の一時記憶テーブルに記憶されている前日の開始時刻（８：００）と終了時刻（８：５９）とを消去する（ステップＦ７）。表示制御部２０は、次に７日分の時間データが蓄積されているか否かを判断する（ステップＦ８）。ここでは７日前から２日前までのデータが消去されていて７日分のデータはないので、表示制御部２０は、ステップＦ８で「ＮＯ」と判断し、ステップＦ１０に移行して時間記憶テーブルの本日の欄に開始時刻（８：００）を記憶する。続いて、表示制御部２０は、時間記憶テーブルの開始時刻のうち最も早い時刻（８：００）を表示切替開始時刻に設定する（ステップＦ１１）。これにより、画面表示切替開始時刻設定処理を終了する。
【００６６】
給湯が終了（８：４５）すると、表示制御部２０は、図１０のステップＤ１８で「ＹＥＳ」となり、画面表示切替終了時刻設定処理（ステップＤ１９）へ移行する。この画面表示切替終了時刻設定処理（図１４）で、表示制御部２０は、給湯終了時刻を、分の部分を３０分単位の時間幅に変換し（ステップＨ１）、次いで時間記憶テーブルの該当する時間帯である朝時間帯に終了時刻が記憶されているか否かを判断する（ステップＨ２）。ここでは未だ記憶されていないので、表示制御部２０は、ステップＨ２で「ＮＯ」と判断し、ステップＨ４へ移行する。
【００６７】
このステップＨ４で、表示制御部２０は、時間記憶テーブルの本日欄に終了時刻（８：５９）を記憶する。そして、表示制御部２０は、時間記憶テーブル内の最も遅い時刻を表示切替終了時刻に設定する（ステップＨ５）。ここでは、最も遅い時刻は、図４から明らかなように８：５９であるから、終了時刻は８：５９に設定される。従って、翌日（図４で１０日目）は、８：００に給湯操作画面に切り替えられ、８：５９にホーム画面に切り替えられこととなる。
【００６８】
図４の例では、１０日目以降も前日に予測された給湯操作画面の表示時間内に湯が使用される。このように季節の変化など何らかの理由で湯の使用時間帯が変化した場合、これに可及的速やかに対応することができる。つまり、７日分の時間データを取得しなくても、２日分の時間データで新しい習慣に応じた時間に給湯操作画面を表示することができるのである。
【００６９】
［図５の例］
しかしながら、たまたま一日だけ、それまでと異なった時間に湯を使用し、その翌日から元の時間に湯を使用する場合もある。図５は、朝時間帯において、それまで湯を使用していた時間よりも後の方に８日目の１日だけ湯使用時間がずれた場合を示し、図６は、同じく朝時間帯において、それまで湯を使用していた時間よりも後の方に８日目の１日だけ湯使用時間がずれた場合を示している。このような場合には、本実施形態では、１日だけの湯使用時間のずれは、イレギュラーと判断して給湯操作画面への切替時間が変化しないようにする。
【００７０】
まず、図５の場合につき説明する。８日目までの表示制御部２０の処理内容は図４の場合と同じであるので省略する。８日目に翌日である９日目の湯の使用時間（給湯操作画面に切り替えられている時間）を午前６時００分から午前８時００分までの間と午前８時００分から午前８時５９分までの間の２回あると予測する。翌日（９日目）になると、元の生活習慣と同様に実際には午前６時１５分に湯が使用される。すると、表示制御部２０は、図１０のステップＤ１で「ＹＥＳ」、ステップＤ１５で「ＹＥＳ」となり、ステップＤ１６で時間記憶テーブルの該当する時間帯である朝時間帯に本日の給湯開始時刻が記憶されているか否かを判断する。
【００７１】
ここでは未だなので、表示制御部２０は、ステップＤ１６で「ＮＯ」となり、ステップＤ１７の画面表示切替開始時刻設定処理に移る。図１２の画面表示切替開始時刻設定処理において、表示制御部２０は、まず実際の給湯開始時刻を、分の部分を３０分単位の時間時幅に変換し（ステップＦ１）、次に該当する時間帯である朝時間帯の一時記憶テーブルに開始時刻が保存されているか否かを判断する（ステップＦ２）。
【００７２】
ここでは、前日（８日目）の午前８時２０分に湯の使用があったので、朝時間帯の一時記憶テーブルの開始時刻には８：００と記憶されている。このため、表示制御部２０は、ステップＦ２で「ＹＥＳ」と判断し、ステップＦ３に移行する。このステップＦ３において、表示制御部２０は、一時記憶テーブルに記憶されている開始時刻と重なるかまたは連続するかを判断する。ここでは重なりも連続もしないので、表示制御部２０は、ステップＦ３で「ＮＯ」と判断し、次のステップＦ４で該当する時間帯である朝時間帯の一時記憶テーブルの開始時刻をイレギュラーと判断し、記憶テーブルの朝時間帯に記憶されている一時記憶テーブルと同一の開始時刻および終了時刻を消去する。つまり、８日目の開始時刻８：００と終了時刻８：５９を消去するのである。
【００７３】
また、表示制御部２０は、次のステップＦ５で朝時間帯の一時記憶テーブルの開始時刻（８：００）と終了時刻（８：５９）を消去する。この後、表示制御部２０は、ステップＦ８に移行し、ここで７日分の時間データが蓄積されているか否かを判断する。ステップＦ４で８日目の開始時刻および終了時刻を消去したので、表示制御部２０は、ステップＦ８で「ＮＯ」と判断し、ステップＦ１０に移行して時間記憶テーブルの朝時間帯に本日の開始時刻を記憶する。
【００７４】
そして、表示制御部２０は、時間記憶テーブルの朝時間帯に記憶された開始時刻のうちで最も早い時刻、つまり元の６：００を開始時刻に設定する。このとき、８日目の開始時刻８：００と終了時刻８：５９は消去されているので、８：００は開始時刻の設定から外される。このため、９日目においては、午前８時になっても給湯操作画面に切り替えられることはない。
【００７５】
９日目（本日）の午前６時４５分に給湯が終了すると、表示制御部２０は、図１０のステップＤ１８で「ＹＥＳ」と判断し、ステップＤ１９の画面表示切替終了時刻の設定処理へ移行する。図１４の画面表示切替終了時刻の設定処理において、表示制御部２０は、給湯終了時刻を、分の部分を３０分単位の時間幅に拡大するように変換する。次に、表示制御部２０は、時間記憶テーブルの該当する時間帯である朝時間帯に終了時刻が記憶されているか否かを判断する（ステップＨ２）。時間記憶テーブルに本日の終了時刻は未だ記憶されていないので、表示制御部２０は、ステップＨ２で「ＮＯ」と判断し、ステップＨ４に移行してここで本日の終了時刻を記憶する。そして、時間記憶テーブル内の最も遅い時間を表示切替終了時刻に設定する。このとき、２日目の開始時刻と終了時刻は９日目では８日前となるので消去され、また前日（８日目）の終了時刻はステップＦ５で消去されているので、表示制御部２０は、最も遅い時刻である７：２９を終了時刻として設定する。
【００７６】
以上により、８日目の湯の使用時間は１日限りのイレギュラーなもので、９日目に翌日である１０日目の朝時間帯は、７日前以前と同様に表示開始時刻６：００、表示終了時刻７：３０に設定されることになるのである。
【００７７】
［図６の例］
一方、図６の場合、７日目に、１日目から７日目までの湯の使用実績に基づいて時間記憶テーブルに記憶されている開始時刻により、翌日８日目の表示開始時刻が午前６時００分、表示終了時刻が午前７時５９分に設定される。
８日目では、給湯操作画面へ切り替えられる時刻よりも前の午前５時２０分から午前５時５０分までの間に湯が使用されている。
８日目（本日）の午前５時２０分に湯が使用されると、表示制御部２０は、図９のステップＣ４で「ＹＥＳ」となって、次のステップＣ５で表示画面をホーム画面から給湯操作画面に切り替える。次に、表示制御部２０は、給湯時間記憶処理（ステップＣ６）へ移行する。図１０の給湯時間記憶処理に入ると、表示制御部２０は、ステップＤ１で「ＮＯ」、ステップＤ２で「ＹＥＳ」となり、ステップＤ６の一時記憶テーブルへの給湯開始時刻記憶処理へ移行する。
【００７８】
図１１の一時記憶テーブルへの給湯開始時刻記憶処理において、表示制御部２０は、ステップＥ１で実際の給湯開始時刻を、分の部分を３０分単位の時間幅に変換し、次のステップＥ２で朝・昼・夕の何れの時間帯に属するかを決定する。ここでは朝時間帯に属するので、表示制御部２０は、次のステップＥ３で朝時間帯の一時記憶テーブルに開始時間が記憶されているか否かを判断する。
【００７９】
ここでは未だ朝時間帯の一時記憶テーブルに開始時間は記憶されていないので、表示制御部２０は、ステップＥ３で「ＮＯ」となり、次のステップＥ４で該当する時間帯である朝時間帯の一時記憶テーブルに開始時刻５：００を記憶し、続いてステップＥ５で時間記憶テーブルの該当する時間帯である朝時間帯の本日の開始時刻に５：００を追加記憶する。以上により一時記憶テーブルへの給湯開始時刻記憶処理を終了する。
【００８０】
次に、表示制御部２０は、図１０のステップＤ７で時間記憶テーブルに７日分のデータが記憶去れているか否かを判断する。ここでは７日分のデータが記憶されているので、表示制御部２０は、ステップＤ７で「ＹＥＳ」と判断し、ステップＤ８の画面表示切替開始時刻設定処理へと移行する。
【００８１】
ステップＤ８の画面表示切替開始時刻設定処理において、表示制御部２０は、まず実際の給湯開始時刻を、分の部分を３０分単位の時間時幅に変換し、時間記憶テーブルの該当する時間帯、つまり朝時間帯の記憶テーブル内の開始時刻データのうち、最も早い時刻を翌日の朝の給湯操作画面への切替開始時刻に設定する。ここでは、２グループあるので、開始時刻を５：００と６：００とに設定する。以上で画面表示切替開始時刻設定処理を終了する。
【００８２】
その後、午前５時５０分に湯の使用が終わると、表示制御部２０は、図１０のステップＤ１で「ＮＯ」、ステップＤ２で「ＮＯ」、ステップＤ３で「ＹＥＳ」、ステップＤ９で「ＹＥＳ」となってステップＤ１０の一時記憶テーブルへの給湯終了時刻記憶処理へと移行する。
【００８３】
図１３の一時記憶テーブルへの給湯終了時刻記憶処理において、表示制御部２０は、まず、実際の給湯開始時刻を、分の部分を３０分単位の時間幅に変換し（ステップＧ１）、時間記憶テーブルの該当する時間帯である朝時間帯の終了時刻が昨日以前の給湯終了時刻と重なる（含む連続）か否かを判断する。ここでは重ならず、連続もしていないので、表示制御部２０は、ステップＧ２で「ＮＯ」と判断し、該当する時間帯（朝時間帯）の一時記憶テーブルに給湯終了時刻５：５９を記憶し（ステップＧ３）、時間記憶テーブルの該当する時間帯（朝時間帯）の本日欄に給湯終了時刻５：５９を記憶する。
【００８４】
表示制御部２０は、以上により一時記憶テーブルへの給湯終了時刻記憶処理を終了し、
次に時間記憶テーブルに７日分の時間データが記憶されているか否かを判断する（ステップＤ１１）。７日分の時間データは記憶されているので、表示制御部２０は、ステップＤ１１で「ＹＥＳ」と判断し、次のステップＤ１２の画面表示切替終了時刻設定処理へ移行する。
【００８５】
ステップＤ１２の画面表示切替終了時刻設定処理に移行すると、表示制御部２０は、給湯終了時刻を、分の部分を３０分単位の時間幅を持つように変換し、次いで、時間記憶テーブル内の最も遅い時刻を表示切替終了時刻に設定する。
【００８６】
ここでは、終了時刻が２グループあるので、終了時刻を５：５９と７：５９とに設定する。この結果、翌日（９日目）の給湯操作画面の表示時間は、５：００〜５：５９と６：００〜７：５９の２回に設定されたこととなる。以上で画面表示切替開始時刻設定処理を終了する。
【００８７】
そして、湯の使用終了から３０分が経過すると（午前６時２０分）、表示制御部２０は、図１０のステップＤ１３で「ＹＥＳ」と判断し、次のステップＤ１４でタッチパネル１６の表示画面を給湯操作画面からホーム画面に切り替えるのであるが、前日に予約された給湯操作画面への切替開始時刻がそれ以前の午前６時００分であるので、切替終了時刻である午前７時５９分まで給湯操作画面が表示され続ける。
【００８８】
しかしながら、８日目の午前６時から午前７時５９分までの間には湯の使用がないので、表示制御部２０は、午前７時５９分になるとタッチパネル１６の画面表示を給湯操作画面からホーム画面へと切り替える（ステップＤ１で「ＹＥＳ」、ステップＤ１５で「ＮＯ」、ステップＤ１８で「ＮＯ」、ステップＤ２０で「ＹＥＳ」、ステップＤ２１）。
【００８９】
翌日（図６において９日目）の午前５時００分になると、表示制御部２０は、前日に予測設定された画面表示切替開始時刻になったと判断し（図９のステップＣ２で「ＹＥＳ」）、タッチパネル１６の表示画面をホーム画面から給湯操作画面へと切り替え（ステップＣ６）、給湯時間記憶処理（ステップＣ６）へと移行する。
【００９０】
図１０の給湯時間記憶処理に移行すると、表示制御部２０は、画面表示切替終了時刻になるまで、給湯操作画面を表示し続ける（ステップＤ１で「ＹＥＳ」、ステップＤ１５で「ＮＯ」、ステップＤ１８で「ＮＯ」、ステップＤ２０で「ＮＯ」の繰り返し）。図６の例では本日（９日目）は前日設定された画面表示切替終了時刻（５：５９）になるまで湯は使用されないので、当該画面表示切替終了時刻になると、表示制御部２０は、一旦、表示画面をホーム画面に切り替える（ステップＤ２０で「ＹＥＳ」、ステップＤ２１）。
【００９１】
しかし、直ぐに次の表示切替開始時刻である午前６時になるので、当該時刻になると、表示制御部２０は、タッチパネル１６の表示画面を給湯操作画面へと切り替える（ステップＣ２で「ＹＥＳ」、ステップＣ５）。
【００９２】
図６に示すように、９日目では、元のように午前６時１５分から午前６時４５分まで湯が使用される。午前６時１５分に給湯が開始されると、表示制御部２０は、図１０のステップＤ１で「ＹＥＳ」、ステップＤ１５で「ＹＥＳ」となり、時間記憶テーブルの該当する時間帯である朝時間帯に本日の給湯開始時刻が記憶されているか否かを判断する（ステップＤ１６）。
【００９３】
本日の給湯開始時刻は未だ記憶されていないので、表示制御部２０は、ステップ１６で「ＮＯ」と判断し、次のステップＤ１７の画面表示切替開始時刻設定処理へと移行する。図１２の画面表示切替開始時刻設定処理において、表示制御部２０は、まず給湯開始時刻を、分の部分を３０分単位の時間幅に変換し（ステップＦ１）、該当する時間帯である朝時間帯の一時記憶テーブルに開始時刻が記憶されているか否かを判断する。ここでは、昨日（８日目）の使用開始時刻である５:００が記憶されているので、表示制御部２０は、ステップＦ２で「ＹＥＳ」と判断し、ステップＦ３に移行する。
【００９４】
ステップＦ３では本日の開始時刻が一時記憶テーブルに記憶されている開始時刻と重なる（含む連続）か否かを判断する。ここでは、重なりも連続もしていないので、表示制御部２０は、ステップＦ３で「ＮＯ」と判断し、次のステップＦ４で一時記憶テーブルの記憶時間をイレギュラーと判断し、該当する時間帯である朝時間帯の時間記憶テーブルに記憶されている一時記憶テーブルと同一の開始時刻（５：００）および終了時刻（５：５９）を消去し（８日目の時間データを消去）、続いてステップＦ５で該当する時間帯である朝時間帯の一時記憶テーブルの開始時刻（５：００）と終了時刻（５：５９）を消去する。
【００９５】
そして、表示制御部２０は、次のステップＦ８で７日分の給湯時間が記憶去れているか否かを置判断する。ここでは、昨日（８日目）の開始時刻と終了時刻が消去されているので、表示制御部２０は、ステップＦ８で「ＮＯ」と判断し、昨日部分を本日欄として開始時刻を記憶する（ステップＦ９）。次に、表示制御部２０は、該当する時間帯である朝時間帯の時間記憶テーブル内の最も早い時刻（６：００）を表示切替開始時刻に設定する（ステップＦ１１）。
【００９６】
給湯が終了すると、表示制御部２０は、図１０のステップＤ１８で「ＹＥＳ」となり、次のステップＤ１９の画面表示切替終了時刻の設定処理へと移行する。図１４の画面表示切替終了時刻の設定処理では、表示制御部２０は、ステップＨ１で実際の給湯開始時刻を、分の部分を３０分単位の時間幅に変換し、ステップＨ２で時間記憶テーブルの該当する時間帯である朝時間帯に終了時刻が記憶されているか否かを判断する。
【００９７】
ここでは未だ時間記憶テーブルの朝時間帯に終了時間は記憶されていないので、表示制御部２０は、ステップＨ２で「ＮＯ」となり、次のステップＨ４で時間記憶テーブルの該当する時間帯（朝時間帯）に終了時刻６：２９を記憶し、続いてステップＨ５で時間記憶テーブルの該当する時間帯（朝時間帯）の終了時刻のうち、最も遅い時刻７：５９を終了時刻に設定し、画面表示切替終了時刻の設定処理を終了する。
以上により、翌日（１０日目）の給湯操作画面への切替開始時刻が６：００、終了時刻が７:２９に設定される。
【００９８】
このように本実施形態によれば、過去複数日（本実施形態では７日間）の湯の使用実績に基づいて翌日の湯の使用開始時刻と終了時刻とを予測し、タッチパネル１６の表示画面を自動的にホーム画面から給湯操作画面に切り替え、且つ給湯操作画面からホーム画面へ戻すので、一々画面の切替操作をしなくとも済む。
【００９９】
また、湯の使用時間が今までと変わったような日があった場合、その翌日の給湯操作画面への表示切替時間としては、元の湯の使用時間と、本日の今までとは変わった使用時間との両方に合せて給湯操作画面に切り替えておくことができるので、翌日の湯の使用が今までの元の使用時間に戻っても、また、新しく変わった時間に湯の使用があっても、その双方に対応することができる。
【０１００】
しかも、季節の変化により湯を使用する時間が変化した場合、７日間の使用実績の蓄積を待たずとも、２日間の使用実績により、新しい湯の使用習慣に合った時間で画面の切替を行うことができる。
【０１０１】
また、一日だけのイレギュラーな湯の使い方に対しては、翌日にイレギュラーな使い方であると判断し、次の日からそのイレギュラーな使用時間には給湯操作画面に切り替えないようにするので、イレギュラーな使用時間を新しい湯の使用習慣と誤認することがない。
【０１０２】
本発明は上記し且つ図面に示す実施形態に限定されるものではなく、以下のような拡張または変更が可能である。
使用実績は２日以上の複数日であれば良い。但し、図４〜図６の場合は、３日以上を前提とする。
使用実績は７日に限られない。好ましい使用実績は７日分が好ましい。７日の使用実績に基づいて画面の切り替え時間を予測する場合には、１週間分の使用実績であるので、使用家庭の習慣により完全に合せて給湯操作画面に切り替えることができる。
【０１０３】
請求項３の「本日の実際の湯の使用が、前記前日に予測した開始時刻の前または予測した終了時刻の後であったとき、」において、「本日の実際の湯の使用」は、実際の湯の使用開始時刻から終了時刻までを言い、「前日に予測した開始時刻の前または予測した終了時刻の後」は、本日の実際の湯の使用が、前日に予測した開始時刻から終了時刻までの間に重ならず且つ連続もしないことを言う。図４の８日目で例示すると、８：２０が実際の湯の使用開始時刻、８：５５が実際の湯の使用終了時刻である。「前記前日に予測した開始時刻の前または予測した終了時刻」は、実際の開始時刻、終了時刻ではなく、３０分の時間幅を持たせた時刻を言う。従って、図４の８日目における湯の実際の使用時間は、前日予測した時間（６：００から７：５９まで）と重なりも連続もせず、終了時刻の後である。
【０１０４】
家庭用自家発電装置としては、燃料電池など他の発電装置であっても良い。
給湯装置としては、太陽熱給湯装置、その他の給湯装置であっても良い。
表示器１３に表示するものとしては、給湯装置と発電装置に限らず、給湯装置と家庭での消費電力を監視する装置とで兼用するものであっても良い。つまり、電力情報としては、家庭での消費電力のみの表示であっても良い。
記憶部１８に、７日分の湯使用時間データを予めデフォルト値として記憶させておくようにしても良い。このようにすれば、表示器１３の使い始めの日（または次の日）から湯の使用時間を予測して自動的に給湯操作画面に切り替えることが可能となる。
【符号の説明】
【０１０５】
図面中、１は電気給湯装置（給湯装置）、２は太陽光発電装置（家庭用自家発電装置）、１３は表示器、１７は時計部、１８は記憶部、２０は表示制御部（湯使用監視手段、予測手段、表示切替手段）を示す。
【図１】
2015190629.tif 000003
【図２】
2015190629.tif 000004
【図３】
2015190629.tif 000005
【図４】
2015190629.tif 000006
【図５】
2015190629.tif 000007
【図６】
2015190629.tif 000008
【図７】
2015190629.tif 000009
【図８】
2015190629.tif 000010
【図９】
2015190629.tif 000011
【図１０】
2015190629.tif 000012
【図１１】
2015190629.tif 000013
【図１２】
2015190629.tif 000014
【図１３】
2015190629.tif 000015
【図１４】
2015190629.tif 000016
【図１５】
2015190629.tif 000017
【図１６】
2015190629.tif 000018